(57)【特許請求の範囲】
【請求項１】
第１端末から送信された第１メッセージを受信する受信手段と、
受信した前記第１メッセージから前記第１端末を識別する識別情報を取得する識別情報取得手段と、
取得された前記識別情報を送信する送信手段と、
を有する第１基地局装置と、
前記第１基地局装置から送信された前記識別情報を受信する識別情報受信手段と、
受信した前記識別情報を有効期間と共に追加して管理し、前記有効期間が満了した場合、管理している前記識別情報を削除する識別情報管理手段と、
前記識別情報の追加または削除を示す変更内容と共に、前記変更内容に該当する前記識別情報を含む第２メッセージを通知する通知手段と、
を有するサーバ装置と、
前記サーバ装置から通知された前記第２メッセージを受信するメッセージ受信手段と、
第２端末から送信された第３メッセージを受信する受信手段と、
前記サーバ装置から受信した前記第２メッセージに含まれる前記変更内容に従って、前記変更内容に該当する前記識別情報を保持し、保持した前記識別情報と、前記第２端末から受信した第３メッセージに含まれる識別情報とを比較し、前記比較の結果が一致する場合には、前記第２端末のアクセスを許可し、前記比較の結果が一致しない場合には、前記第２端末のアクセスを拒否する識別情報保持手段と、
を有する第２基地局装置と、
を具備する無線通信システム。
【請求項２】
第１端末から送信された第１メッセージを受信する受信手段と、
受信した前記第１メッセージから前記第１端末を識別する識別情報を取得する識別情報取得手段と、
取得された前記識別情報を有効期間と共に追加して管理し、前記有効期間が満了した場合、管理している前記識別情報を削除する識別情報管理手段と、
前記識別情報の追加または削除を示す変更内容と共に、前記変更内容に該当する前記識別情報を含む第２メッセージを、前記識別情報と第２端末から受信した第３メッセージに含まれる識別情報との比較結果に基づいて前記第２端末のアクセスの可否を判断する他の基地局装置に通知する通知手段と、
を具備する第３基地局装置。
【請求項３】
前記識別情報の取得が完了したことを表示する表示手段を具備する請求項２に記載の第３基地局装置。
【請求項４】
前記識別情報取得手段は、前記識別情報の取得が完了した場合、前記識別情報に該当する端末の接続解放を前記端末に指示する請求項２に記載の第３基地局装置。
【請求項５】
前記識別情報取得手段は、前記端末との接続に用いるリソースが全て割り当てられた場合、接続の古い端末から順に解放を前記端末に指示する請求項２に記載の第３基地局装置。
【請求項６】
前記識別情報管理手段は、受信した前記識別情報が既に管理されている場合、管理されている前記識別情報を削除する請求項２に記載の第３基地局装置。
【請求項７】
前記通知手段は、前記識別情報の削除を示す変更内容と共に、削除に該当する前記識別情報を含む前記第２メッセージを前記他の基地局装置に通知する請求項６に記載の第３基地局装置。
【請求項８】
他の基地局装置において取得された第１端末を識別する識別情報を前記他の基地局装置から受信する識別情報受信手段と、
受信した前記識別情報を有効期間と共に追加して管理し、前記有効期間が満了した場合、管理している前記識別情報を削除する識別情報管理手段と、
第２端末から送信されたメッセージを受信する受信手段と、
前記識別情報の追加または削除を示す変更内容に従って、前記変更内容に該当する前記識別情報を保持し、保持した前記識別情報と、前記第２端末から受信した前記メッセージに含まれる識別情報とを比較し、前記比較の結果が一致する場合には、前記第２端末のアクセスを許可し、前記比較の結果が一致しない場合には、前記第２端末のアクセスを拒否する識別情報保持手段と、
を具備する第４基地局装置。
【請求項９】
前記識別情報管理手段は、受信した前記識別情報が既に管理されている場合、管理されている前記識別情報を削除する請求項８に記載の第４基地局装置。
【請求項１０】
前記識別情報保持手段は、前記識別情報管理手段によって管理されている前記識別情報が削除された場合、削除された前記識別情報と同一の前記識別情報を削除する請求項９に記載の第４基地局装置。
【請求項１１】
前記識別情報保持手段は、接続中の端末の識別情報が削除された場合、前記端末の接続解放を前記端末に指示する請求項１０に記載の第４基地局装置。
【発明の詳細な説明】
【技術分野】
【０００１】
本発明は、端末の特定セルへのアクセスを許可及び制限する無線通信システム及び基地局装置に関する。
【背景技術】
【０００２】
近年、携帯電話による通信の室内エリアの不感地帯を補完したり、スループットを向上させたりする目的として、ＨｅＮＢまたはフェムト（Femto）基地局と呼ばれる小型基地局の開発が行われている。
【０００３】
ＨｅＮＢ（Home eNodeB）またはフェムト基地局は、宅内、企業内、ショッピングモール等での利用が想定されている。宅内、企業内、ショッピングモール等に設置されるＨｅＮＢ、フェムト基地局のセルでは、限定された端末（以下、「ＵＥ（User Equipment）」という）に対してのみサービスを提供するような利用方法が想定される。例えば、宅内では家族のみ、企業内では社員のみ、ショッピングモールでは会員登録ユーザのみに利用できるようにすることが考えられる。
【０００４】
ところで、３ＧＰＰ（3rd Generation Partnership Project）では、セルのアクセスモードとして、クローズド（Closed）、ハイブリッド（Hybrid）、オープン（Open）の３つが規定されている。以下、３つのアクセスモードについて簡単に説明する。
【０００５】
クローズドアクセスモードは、アクセス許可を持つ制限されたメンバー（以下、「ＣＳＧ（Closed Subscriber Group）メンバー」という）に対してのみサービスを提供する。
【０００６】
ハイブリッドアクセスモードは、ＣＳＧメンバー及びアクセス許可を持たない非ＣＳＧメンバーのそれぞれが利用可能であるが、非ＣＳＧメンバーよりＣＳＧメンバーを優先して利用できるようにする。
【０００７】
オープンアクセスモードは、アクセス制限を行わずに、全てのメンバーにサービスを提供する。
【０００８】
このような３つのアクセスモードを前提として、ＵＥは、ｅＮｏｄｅＢから通知されるＣＳＧ ＩＤ（ＣＳＧを識別する識別子）を含む報知情報を受信し、受信したＣＳＧ ＩＤがＵＳＩＭ（Universal Subscriber Identity Module）のＣＳＧリストで管理するＣＳＧ ＩＤと同一である場合、ＣＳＧセル及びハイブリッドセルにＣＳＧメンバーとしてアクセスすることができる。
【０００９】
また、ＭＭＥ（Mobility Management Entity）は、ｅＮｏｄｅＢから通知されるＣＳＧ ＩＤが、オペレータネットワーク内のＨＳＳ（Home Subscriber Server）から提供される加入者情報であるＣＳＧサブスクリプションデータ（CSG subscription data）に含まれるＣＳＧ ＩＤと一致するか否かを確認し、一致する場合にはＣＳＧによるサービスの提供を許可する。
【００１０】
これらのことから、ＵＥがＣＳＧメンバーとしてＣＳＧセルまたはハイブリッドセルでサービスを受けるためには、以下の２つの設定を事前に行う必要がある。すなわち、一つには、ＵＳＩＭのＣＳＧリストにアクセスを希望するセルのＣＳＧ ＩＤを登録することであり、二つには、ＨＳＳで管理するＣＳＧサブスクリプションデータにサービスの提供を希望するセルのＣＳＧ ＩＤを登録することである。
【００１１】
上記一つ目の設定については、まず、ＣＳＧリストには、オペレータまたはＵＥユーザが変更可能な“許可ＣＳＧリスト（Allowed CSG List）”とオペレータのみが変更可能な“オペレータＣＳＧリスト（Operator CSG List）”が定義されている。ＵＥが許可ＣＳＧリストを利用可能な場合、ＵＥユーザはＣＳＧリストに登録されているＣＳＧ ＩＤを変更することができる。オペレータＣＳＧリストのみが使用される場合、登録されているＣＳＧ ＩＤを変更するためには、ＵＥユーザはオペレータにその変更を依頼する必要がある。なお、マニュアルでＣＳＧセルの選択を行うこと（以下、「マニュアルＣＳＧセレクション」ということがある）が認められる場合、ＵＥユーザは利用可能なＣＳＧセルをＵＥにスキャンさせ、その中の一つを選択することが可能である。
【００１２】
上記二つ目の設定については、オペレータ装置が管理を行う情報であるため、ＣＳＧ ＩＤを変更する場合、都度、ＵＥユーザはオペレータに変更を依頼する必要がある。
【００１３】
以上を踏まえ、非特許文献１に開示のＵＥがＣＳＧへアクセスする手順について図１を用いて説明する。図１において、ステップ（以下、「ＳＴ」と省略する）１１では、ＵＥは、新しいトラッキングエリア（Tracking Area）に移動したことを検出し、ＳＴ１２では、選択したセルでＴＡＵリクエスト（Tracking Area Update Request）メッセージをｅＮｏｄｅＢに送信する。
【００１４】
ＳＴ１３では、ｅＮｏｄｅＢは、“ＣＳＧアクセスモード”及び“ＣＳＧ ＩＤ”と一緒にＴＡＵリクエストメッセージを新たに選択したＭＭＥ（new ＭＭＥ）に送信する。ＣＳＧ ＩＤは、ＵＥがＣＳＧセルまたはハイブリッドセルを介してＴＡＵリクエストメッセージを送信する場合に提供される。また、ＵＥがハイブリッドセルを介してＴＡＵリクエストメッセージを送信する場合、ＣＳＧアクセスモードが提供される。仮に、ＣＳＧアクセスモードは提供されないが、ＣＳＧ ＩＤが提供される場合、ＭＭＥはそのセルをＣＳＧとして判断する。なお、“ＣＳＧアクセスモード”と“ＣＳＧ ＩＤ”は、ＴＡＵリクエストメッセージを運ぶＳ１−ＡＰ制御メッセージに含まれる。
【００１５】
ここでは、ＳＴ１４〜ＳＴ２６の説明は省略する。
【００１６】
ＳＴ２７では、ＨＳＳは、サブスクリプションデータ（Subscription Data）を含むアップデートロケーションＡＣＫ（Update Location Acknowledgement）をＭＭＥに送信する。サブスクリプションデータには、そのＰＬＭＮ（Public Land Mobile Network）のためのＣＳＧサブスクリプションデータも含まれている。
【００１７】
ＵＥがＣＳＧセルでＴＡＵ（Tracking Area Update）プロシージャを開始した場合には、ＭＭＥはＳＴ１３においてｅＮｏｄｅＢより通知されたＣＳＧ ＩＤがＣＳＧサブスクリプションデータに含まれているか、また、そのＣＳＧ ＩＤの有効期間が切れていないか確認する。その結果、ＣＳＧサブスクリプションデータにｅＮｏｄｅＢより通知されたＣＳＧ ＩＤが存在しない、またはそのＣＳＧ ＩＤの有効期間が切れている場合、ＭＭＥはその理由を含めたトラッキングエリアアップデートリジェクト（Tracking Area Update Reject）をＵＥに送信する。ＵＥは、許可ＣＳＧリストにそのＣＳＧ ＩＤが含まれている場合、そのＣＳＧ ＩＤを許可ＣＳＧリストから削除する。その他の確認項目のチェックが成功すれば、ＭＭＥはＵＥのためのコンテキストを作成する。
【００１８】
また、ここでは、ＳＴ２８、ＳＴ２９及びＳＴ３１の説明は省略する。
【００１９】
ＳＴ３０では、トラッキングエリアアップデートリジェクトを受信したＵＥはそのＴＡ（Tracking Area）へのアクセスが許可されない。ＴＡＵプロシージャがマニュアルＣＳＧセレクションによってＣＳＧセルから開始され、ＴＡＵアクセプト（TAU Accept）メッセージを受信したＵＥは、許可ＣＳＧリストにそのＣＳＧ ＩＤを含んでいない場合には、許可ＣＳＧリストにそのＣＳＧ ＩＤを追加する。また、ユーザープレーンセットアップがＴＡＵアクセプトメッセージと連動して実行され、ＴＡＵがハイブリッドセルで行われる場合には、ＭＭＥは、ＵＥがＣＳＧメンバーであるか否かの通知をＳ１−ＭＭＥ制御メッセージによってｅＮｏｄｅＢに送信する。
【００２０】
ｅＮｏｄｅＢは、ＭＭＥから送信されたこの情報に基づいて、ＣＳＧと非ＣＳＧメンバーの異なる扱いを行う。ＵＥがハイブリッドセル経由でＴＡＵアクセプトメッセージを受信する場合、ＵＥは許可ＣＳＧリストにそのＣＳＧ ＩＤを追加しない。ハイブリッドセルのためのＣＳＧ ＩＤの許可ＣＳＧリストへの追加は、ＯＴＡ（Over the Air）プロシージャまたはＯＭＡ（Open Mobile Alliance） ＤＭ（Device Management）プロシージャを用いてのみ行われる。
【先行技術文献】
【非特許文献】
【００２１】
【非特許文献１】3GPP, TS23.401 V10.3.0 "3rd Generation Partnership Project;Technical Specification Group Services and System Aspects; General Packet Radio Service (GPRS) enhancements for Evolved Universal Terrestrial Radio Access Network (E-UTRAN) access"
【発明の概要】
【発明が解決しようとする課題】
【００２２】
しかしながら、上述したＣＳＧセルへのアクセス手順では、予め、ＵＥのＵＳＩＭのＣＳＧリスト（許可ＣＳＧリストまたはオペレータＣＳＧリスト）にアクセスを希望するセルのＣＳＧ ＩＤを登録すること、および、ＨＳＳで管理するＣＳＧサブスクリプションデータにサービスの提供を希望するセルのＣＳＧ ＩＤを登録することが必要である。
【００２３】
このため、ＣＳＧセルをあるＵＥに一時的に利用させる場合、以下のような手順が必要となる。すなわち、ＵＥユーザに対しては、アクセスを希望するセルのＣＳＧ ＩＤのＵＳＩＭへの登録を要求するか、または、マニュアルＣＳＧセレクションを要求する。また、オペレータに対しては、アクセスを希望するＣＳＧセルの基地局の管理者が、ＨＳＳで管理するＣＳＧサブスクリプションデータにアクセスを希望するセルのＣＳＧ ＩＤの登録を要求する。
【００２４】
これらの手順は、ＣＳＧセルを一時的に利用するための作業としては煩雑である。また、オペレータの手続きには時間がかかる。例えば、企業を訪ねてきたお客様に企業内のＣＳＧセルの一時的な利用を想定すると、お客様に煩雑な作業を要求することは現実的ではない。また、ショッピングモール等のＣＳＧセルで一時利用者が多数おり、ＣＳＧ ＩＤの登録及び削除が頻繁に発生する場合も、基地局管理者の手間を考えると、ＣＳＧセルを用いた従来手順による一時利用は現実的ではない。
【００２５】
本発明の目的は、ＵＥの特定セルへのアクセス可否を容易に制御する無線通信システム及び基地局装置を提供することである。
【課題を解決するための手段】
【００２６】
本発明の無線通信システムは、第１端末から送信された第１メッセージを受信する受信手段と、受信した前記第１メッセージから前記第１端末を識別する識別情報を取得する識別情報取得手段と、取得された前記識別情報を送信する送信手段と、を有する第１基地局装置と、前記第１基地局装置から送信された前記識別情報を受信する識別情報受信手段と、受信した前記識別情報を有効期間と共に追加して管理し、前記有効期間が満了した場合、管理している前記識別情報を削除する識別情報管理手段と、前記識別情報の追加または削除を示す変更内容と共に、前記変更内容に該当する前記識別情報を含む第２メッセージを通知する通知手段と、を有するサーバ装置と、前記サーバ装置から通知された前記第２メッセージを受信するメッセージ受信手段と、第２端末から送信された第３メッセージを受信する受信手段と、前記サーバ装置から受信した前記第２メッセージに含まれる前記変更内容に従って、前記変更内容に該当する前記識別情報を保持し、保持した前記識別情報と、前記第２端末から受信した第３メッセージに含まれる識別情報とを比較し、前記比較の結果が一致する場合には、前記第２端末のアクセスを許可し、前記比較の結果が一致しない場合には、前記第２端末のアクセスを拒否する識別情報保持手段と、を有する第２基地局装置と、を具備する構成を採る。
【００２７】
本発明の基地局装置は、第１端末から送信された第１メッセージを受信する受信手段と、受信した前記第１メッセージから前記第１端末を識別する識別情報を取得する識別情報取得手段と、取得された前記識別情報を有効期間と共に追加して管理し、前記有効期間が満了した場合、管理している前記識別情報を削除する識別情報管理手段と、前記識別情報の追加または削除を示す変更内容と共に、前記変更内容に該当する前記識別情報を含む第２メッセージを通知する通知手段と、を具備する構成を採る。
【００２８】
本発明の基地局装置は、他の基地局装置において取得された第１端末を識別する識別情報を前記他の基地局装置から受信する識別情報受信手段と、受信した前記識別情報を有効期間と共に追加して管理し、前記有効期間が満了した場合、管理している前記識別情報を削除する識別情報管理手段と、第２端末から送信された第３メッセージを受信する受信手段と、前記識別情報の追加または削除を示す変更内容に従って、前記変更内容に該当する前記識別情報を保持し、保持した前記識別情報と、前記第２端末から受信した前記第３メッセージに含まれる識別情報とを比較し、前記比較の結果が一致する場合には、前記第２端末のアクセスを許可し、前記比較の結果が一致しない場合には、前記第２端末のアクセスを拒否する識別情報保持手段と、を具備する構成を採る。
【発明の効果】
【００２９】
本発明によれば、ＵＥの特定セルへのアクセス可否を容易に制御することができる。
【図面の簡単な説明】
【００３０】
【図１】非特許文献１に開示のＵＥがＣＳＧへアクセスする手順を示すシーケンス図
【図２】本発明の一実施の形態に係る無線通信システムの概要示す模式図
【図３】本発明の一実施の形態に係るエントランス基地局の構成を示すブロック図
【図４】本発明の一実施の形態に係る管理サーバの構成を示すブロック図
【図５】本発明の一実施の形態に係る制限セルグループ基地局の構成を示すブロック図
【図６】制限セルグループ基地局にＵＥのアクセス許可を設定する手順を示すシーケンス図
【図７】制限セルグループ基地局にＵＥのアクセス許可の解除を設定する手順を示すシーケンス図
【発明を実施するための形態】
【００３１】
以下、本発明の実施の形態について、図面を参照して詳細に説明する。
【００３２】
（一実施の形態）
本実施の形態では、エントランスセルという新たな概念を設ける。エントランスセルは、企業内等の特定のエリアで使用される基地局へのアクセスを制限したいセル（以下、「制限セル」という）またはその複数セルのグループ（以下、「制限セルグループ」という）に対して、入場口等のエントランスに一台ないし複数台配置した基地局（以下、「エントランス基地局」という）によって形成される。
【００３３】
制限セル及び制限セルグループは、３ＧＰＰで規定するオープンセルまたはハイブリッドセルとする。なお、ハイブリッドセルで制限セルおよび制限セルグループとする場合、エントランスセルでアクセスした非ＣＳＧメンバーのＵＥは、ＭＭＥで非ＣＳＧメンバーとして判定されるため、優先度が低い非ＣＳＧメンバーとしてアクセスする。ＣＳＧメンバーのＵＥについては、ＣＳＧメンバーとしてアクセスするため、優先度が高く扱われる。
【００３４】
図２は、本発明の一実施の形態に係る無線通信システムの概要示す模式図である。この図２において、エントランス基地局１００は、ＵＥがエントランスセルにアクセスすると、アクセス時に使用するメッセージ内に含まれる確認可能なＵＥ識別子を取得する。ＵＥ識別子としては、例えば、ＲＲＣメッセージに含まれるＳ−ＴＭＳＩ（S-Temporary Mobile Subscriber Identity）などが挙げられる。エントランス基地局１００は、取得したＵＥ識別子を管理サーバ２００に通知する。
【００３５】
エントランス基地局１００は、アクセスしてきたＵＥのＵＥ識別子を取得することが目的であるため、その利用形態に応じた形状の基地局でよい。例えば、タッチ式形状の小型基地局であって非常に小電力なセルエリアを形成する基地局などでもよい。この場合、タッチによりＵＥ識別子が取得されたことをＵＥユーザが確認可能となるよう、小型基地局で表示可能とする。
【００３６】
また、エントランス基地局１００は、ＵＥ識別子を取得したＵＥとの接続をすぐに解放してよい。または、エントランスセルのリソースが全て割り当てられた場合に、接続の古いＵＥから順に解放し、常に新規の接続を優先的に行えるようにしてもよい。なお、エントランスセルは、ハンドオーバ機能を必要としない。
【００３７】
管理サーバ２００は、エントランス基地局１００から通知されたＵＥ識別子を有効期間と共に管理する。有効期間は、オペレータにより設定可能とする。また、管理サーバ２００は、ＵＥ識別子の“追加”、“削除”等が行われた場合は、その旨を制限セル及び制限セルグループに通知する。
【００３８】
また、管理サーバ２００は、エントランス基地局１００から通知されたＵＥ識別子が、現在、既に管理されている場合、当該ＵＥ識別子のＵＥはエントランスセルから退場したことを意味するため、そのＵＥ識別子を削除する。
【００３９】
制限セルグループの管理者は、管理サーバ２００に管理されたＵＥ識別子を任意に削除することができ、また、エントランス基地局１００から通知される以外にも、任意にＵＥ識別子と有効期間を設定することができる。
【００４０】
なお、管理サーバ２００は、エントランス基地局１００または制限セルグループ基地局３００と同一のハードウェアに具備されてもよい。
【００４１】
制限セルグループ基地局３００は、サービスを提供するセルとしてオープンセルまたはハイブリッドセルを運用し、管理サーバ２００から“追加”として通知されたＵＥ識別子と一致するＵＥのみ、セルへのアクセスを可能とする。また、制限セルグループ基地局３００は、管理サーバ２００から“削除”として通知されたＵＥ識別子を削除する。また、制限セルグループ基地局３００は、エントランスセルにアクセスしていないＵＥのアクセスを拒否する。
【００４２】
図３は、本発明の一実施の形態に係るエントランス基地局１００の構成を示すブロック図である。以下、図３を用いてエントランス基地局１００の構成について説明する。
【００４３】
無線受信処理部１０１は、ＵＥから送信されたＵＥ識別子を含むＲＲＣメッセージを受信し、受信したＲＲＣメッセージをＲＲＣメッセージ解析部１０２に出力する。
【００４４】
ＲＲＣメッセージ解析部１０２は、無線受信処理部１０１から出力されたＲＲＣメッセージを解析し、ＵＥ識別子（例えば、Ｓ−ＴＭＳＩ）を取得する。取得したＵＥ識別子をＵＥ識別子取得部１０３に出力する。
【００４５】
ＵＥ識別子取得部１０３は、ＲＲＣメッセージ解析部１０２から出力されたＵＥ識別子を取得すると、表示部１０４及びエントランスセルメッセージ生成部１０５に通知する。ＵＥ識別子の取得が完了すると、取得したＵＥ識別子に該当するＵＥの接続解放をＲＲＣメッセージ生成部１０７に指示する。なお、ＵＥ識別子取得部１０３は、エントランスセルのリソースが全て割り当てられた場合に、接続の古いＵＥから順に解放を指示し、常に新規の接続を優先的に行えるようにしてもよい。
【００４６】
表示部１０４は、ＵＥ識別子取得部１０３から出力されたＵＥ識別子が取得されたことを表示する。
【００４７】
エントランスセルメッセージ生成部１０５は、エントランスセルを識別するエントランスセル識別情報とＵＥ識別子取得部１０３から出力されたＵＥ識別子とを含む、管理サーバ２００向けのメッセージを生成し、生成したメッセージをエントランスセルメッセージ送信部１０６に出力する。
【００４８】
エントランスセルメッセージ送信部１０６は、エントランスセルメッセージ生成部１０５から出力されたメッセージを管理サーバ２００に送信する。
【００４９】
ＲＲＣメッセージ生成部１０７は、ＵＥ識別子取得部１０３から指示されたＵＥの接続解放を指示するＲＲＣメッセージを生成し、生成したＲＲＣメッセージを無線送信処理部１０８に出力する。
【００５０】
無線送信処理部１０８は、ＲＲＣメッセージ生成部１０７から出力されたＲＲＣメッセージをＵＥに送信する。
【００５１】
図４は、本発明の一実施の形態に係る管理サーバ２００の構成を示すブロック図である。以下、図４を用いて管理サーバ２００の構成について説明する。
【００５２】
エントランスセルメッセージ受信部２０１は、エントランス基地局１００から送信されたエントランスセルメッセージを受信し、受信したエントランスセルメッセージをエントランスセルメッセージ解析部２０２に出力する。
【００５３】
エントランスセルメッセージ解析部２０２は、エントランスセルメッセージ受信部２０１から出力されたエントランスセルメッセージを解析し、エントランスセルメッセージからエントランスセル識別情報及びＵＥ識別子を取得する。取得されたエントランスセル識別情報及びＵＥ識別子はＵＥ識別子管理部２０３に出力される。
【００５４】
ＵＥ識別子管理部２０３は、エントランスセルメッセージ解析部２０２から出力されたＵＥ識別子の有効期間を有効期間設定部２０５に問い合わせ、有効期間設定部２０５から取得した有効期間と共にＵＥ識別子を管理する。ＵＥ識別子管理部２０３は、有効期間が満了すると、該当するＵＥ識別子を削除する。
【００５５】
また、ＵＥ識別子管理部２０３は、エントランスセルメッセージ解析部２０２から出力されたＵＥ識別子が既に管理されている場合、管理されているＵＥ識別子を削除する。
【００５６】
また、ＵＥ識別子管理部２０３は、エントランスセルメッセージ解析部２０２から取得したエントランスセル識別情報を制限セルグループ情報管理部２０６に通知し、エントランスセルに対応する制限セルグループを制限セルグループ情報管理部２０６から取得する。
【００５７】
また、ＵＥ識別子管理部２０３は、管理する情報に変更があった場合、変更内容、ＵＥ識別子、制限セルグループを管理サーバメッセージ生成部２０７に通知する。
【００５８】
さらに、ＵＥ識別子管理部２０３は、ＵＥ識別子、有効期間、制限セルグループを表示インタフェース２０４に通知する。
【００５９】
表示インタフェース２０４は、ＵＥ識別子管理部２０３から通知されたＵＥ識別子、有効期間、制限セルグループをモニタ表示するための信号に変換する。
【００６０】
有効期間設定部２０５は、ＵＥ識別子管理部２０３からの問い合わせに基づいて、ＵＥ識別子管理部２０３にそのＵＥ識別子の有効期間を通知する。
【００６１】
制限セルグループ情報管理部２０６は、エントランスセルと関連してサービスを提供することが可能な制限セルグループの情報を管理し、ＵＥ識別子管理部２０３からの問い合わせに対して、該当するエントランスセル識別情報に対応する制限セルグループをＵＥ識別子管理部２０３に応答する。
【００６２】
管理サーバメッセージ生成部２０７は、ＵＥ識別子管理部２０３から通知された変更内容、ＵＥ識別子を含む制限セルグループ宛の管理サーバメッセージを生成し、生成した管理サーバメッセージを管理サーバメッセージ送信部２０８に出力する。
【００６３】
管理サーバメッセージ送信部２０８は、管理サーバメッセージ生成部２０７から出力された管理サーバメッセージを制限セルグループ基地局３００に送信する。
【００６４】
図５は、本発明の一実施の形態に係る制限セルグループ基地局３００の構成を示すブロック図である。以下、図５を用いて制限セルグループ基地局３００の構成について説明する。
【００６５】
管理サーバメッセージ受信部３０１は、管理サーバ２００から送信された管理サーバメッセージを受信し、受信した管理サーバメッセージを管理サーバメッセージ解析部３０２に出力する。
【００６６】
管理サーバメッセージ解析部３０２は、管理サーバメッセージ受信部３０１から出力された管理サーバメッセージを解析し、変更内容、ＵＥ識別子を取得し、取得したこれらの情報をサービスＵＥ識別子保持部３０５に出力する。
【００６７】
無線受信処理部３０３は、ＵＥから送信されたＲＲＣメッセージを受信し、受信したＲＲＣメッセージをＲＲＣメッセージ解析部３０４に出力する。
【００６８】
ＲＲＣメッセージ解析部３０４は、無線受信処理部３０３から出力されたＲＲＣメッセージを解析し、ＲＲＣメッセージからＵＥ識別子を取得する。取得されたＵＥ識別子をサービスＵＥ識別子保持部３０５に通知し、一致する保持情報があるか否かを確認する。ＲＲＣメッセージ解析部３０４は、これらの情報が一致する場合、該当ＵＥのアクセスを許可する指示をＲＲＣメッセージ生成部３０６に通知し、一致しない場合、該当ＵＥのアクセスを拒否する指示をＲＲＣメッセージ生成部３０６に通知する。
【００６９】
サービスＵＥ識別子保持部３０５は、管理サーバメッセージ解析部３０２から出力された変更内容、ＵＥ識別子に基づいて、保持情報を更新する。具体的には、変更内容が“追加”の場合、保持情報を追加し、“削除”の場合、通知されたＵＥ識別子に該当する保持情報を削除する。このとき、削除したＵＥ識別子に該当するＵＥが接続中である場合、接続解放の指示をＲＲＣメッセージ生成部３０６に通知する。
【００７０】
また、サービスＵＥ識別子保持部３０５は、ＲＲＣメッセージ解析部３０４から通知されたＵＥ識別子と保持情報と比較し、一致するものがあるか否かを確認する。サービスＵＥ識別子保持部３０５は、これらの情報が一致する場合は、ＲＲＣメッセージ解析部３０４に一致することを通知し、一致しない場合は、ＲＲＣメッセージ解析部３０４に一致しないことを通知する。
【００７１】
ＲＲＣメッセージ生成部３０６は、ＲＲＣメッセージ解析部３０４及びサービスＵＥ識別子保持部３０５からの指示に従ってＲＲＣメッセージを生成し、生成したＲＲＣメッセージを無線送信処理部３０７に出力する。
【００７２】
無線送信処理部３０７は、ＲＲＣメッセージ生成部３０６から出力されたＲＲＣメッセージをＵＥに送信する。
【００７３】
次に、制限セルグループ基地局３００にＵＥのアクセス許可を設定する手順について図６を用いて説明する。図６において、ＳＴ４０１では、エントランス基地局１００は、ＵＥとのＲＲＣコネクション確立時に、ＲＲＣメッセージから“ＵＥ識別子：Ａ”を取得する。
【００７４】
ＳＴ４０２では、エントランス基地局１００は、エントランスセル識別情報と、ＳＴ４０１において取得した“ＵＥ識別子：Ａ”とを含めたエントランスセルメッセージを管理サーバ２００に送信し、ＳＴ４０３では、管理サーバ２００は、受信したエントランスセルメッセージに基づいて、“ＵＥ識別子：Ａ”、その“有効期間：Ｔ”及び制限セルグループの情報を管理する。
【００７５】
ＳＴ４０４では、管理サーバ２００は、“変更情報：追加”、“ＵＥ識別子：Ａ”を含めた管理サーバメッセージを、エントランスセル識別情報と関連する制限セルグループ基地局３００に送信し、ＳＴ４０５では、制限セルグループ基地局３００は、“ＵＥ識別子：Ａ”のＵＥをアクセス許可ＵＥとする情報を保持する。
【００７６】
ＳＴ４０６では、“ＵＥ識別子：Ａ”のＵＥが、制限セルグループ基地局３００にアクセスし、ＳＴ４０７では、制限セルグループ基地局３００は“ＵＥ識別子：Ａ”をアクセス許可ＵＥとする情報を保持しているため、このＵＥのＲＲＣコネクションの確立を許可する。
【００７７】
ＳＴ４０８では、“ＵＥ識別子：Ａ”の有効期間が満了し、ＳＴ４０９では、管理サーバ２００は“変更情報：削除”と、“ＵＥ識別子：Ａ”とを含めた管理サーバメッセージを、エントランスセル識別情報と関連する制限セルグループ基地局３００に送信し、ＳＴ４１０では、制限セルグループ基地局３００は、アクセス許可ＵＥとして情報を保持していた“ＵＥ識別子：Ａ”を削除する。
【００７８】
ＳＴ４１１では、“ＵＥ識別子：Ａ”のＵＥが、制限セルグループ基地局３００にアクセスし、ＳＴ４１２では、制限セルグループ基地局３００は“ＵＥ識別子：Ａ”がアクセス許可のないＵＥであるため、このＵＥのＲＲＣコネクションの確立を許可しない。
【００７９】
このように、エントランス基地局１００がＵＥ識別子を取得したＵＥ、すなわち、エントランスセルを通過したＵＥであって、エントランスセルの通過から一定時間（有効期間）内のＵＥのみ制限セルグループへのアクセスを許可する。
【００８０】
次に、制限セルグループ基地局３００にＵＥのアクセス許可の解除を設定する手順について図７を用いて説明する。図７において、ＳＴ５０１では、エントランス基地局１００は、ＲＲＣコネクション確立時に、ＲＲＣメッセージから“ＵＥ識別子：Ａ”を取得する。
【００８１】
ＳＴ５０２では、エントランス基地局１００は、エントランスセル識別情報と、ＳＴ５０１において取得した“ＵＥ識別子：Ａ”とを含めたエントランスセルメッセージを管理サーバ２００に送信し、ＳＴ５０３では、管理サーバ２００は、受信したエントランスセルメッセージに含まれる“ＵＥ識別子：Ａ”が既に管理している識別子であるため、管理している情報から“ＵＥ識別子：Ａ”、それに関連する“有効期間：Ｔ”及び“制限セルグループ”の情報を削除する。
【００８２】
ＳＴ５０４では、管理サーバ２００は、“変更情報：削除”と、“ＵＥ識別子：Ａ”とを含めた管理サーバメッセージを制限セルグループ基地局３００に送信し、ＳＴ５０５では、制限セルグループ基地局３００は、アクセス許可ＵＥとして保持している“ＵＥ識別子：Ａ”を削除する。
【００８３】
ＳＴ５０６では、“ＵＥ識別子：Ａ”のＵＥが、制限セルグループ基地局３００にアクセスし、ＳＴ５０７では、制限セルグループ基地局３００は“ＵＥ識別子：Ａ”がアクセス許可のないＵＥであるため、このＵＥのＲＲＣコネクションの確立を許可しない。
【００８４】
このように、本実施の形態によれば、エントランスセルにアクセスしたＵＥからＵＥ識別子を取得し、取得したＵＥ識別子が新たに追加された場合には取得したＵＥ識別子を有効期間と共に管理し、取得したＵＥ識別子が既に管理されている場合には管理されているＵＥ識別子を削除し、ＵＥが制限セルグループにアクセスする際、制限セルグループにおいてＵＥからＵＥ識別子を取得して、管理している有効なＵＥ識別子と一致するか否かに応じてＵＥの制限セルグループへのアクセスを許可または拒否することにより、ＵＥの特定セルへのアクセス可否を容易に制御することができる。
【００８５】
この結果、クローズドアクセスモードによるアクセス許可に必要なＵＳＩＭ及びオペレータネットワーク装置の設定変更を省略し、容易かつ短時間でＵＥのセルアクセスを制御することができる。
【産業上の利用可能性】
【００８６】
本発明にかかる無線通信システム及び基地局装置は、ＵＥの特定セルへのアクセス許可及びその解除を容易に制御するに好適である。
【符号の説明】
【００８７】
１００  エントランス基地局
１０１、３０３  無線受信処理部
１０２、３０４  ＲＲＣメッセージ解析部
１０３  ＵＥ識別子取得部
１０４  表示部
１０５  エントランスセルメッセージ生成部
１０６  エントランスセルメッセージ送信部
１０７、３０６  ＲＲＣメッセージ生成部
１０８、３０７  無線送信処理部
２００  管理サーバ
２０１  エントランスセルメッセージ受信部
２０２  エントランスセルメッセージ解析部
２０３  ＵＥ識別子管理部
２０４  表示インタフェース
２０５  有効期間設定部
２０６  制限セルグループ情報管理部
２０７  管理サーバメッセージ生成部
２０８  管理サーバメッセージ送信部
３００  制限セルグループ基地局
３０１  管理サーバメッセージ受信部
３０２  管理サーバメッセージ解析部
３０５  サービスＵＥ識別子保持部
【図１】
0005679943.tif 000002
【図２】
0005679943.tif 000003
【図３】
0005679943.tif 000004
【図４】
0005679943.tif 000005
【図５】
0005679943.tif 000006
【図６】
0005679943.tif 000007
【図７】
0005679943.tif 000008